(57)【特許請求の範囲】
【請求項１】
組合せ式電動トイガンであって、電気信号接続デバイス、第一バレル、第二バレルを有し、
前記第一バレルは、電池、少なくとも１個の固定ユニット及び基板を有し、
前記電池は、前記第一バレルの内部に設置され、電力を提供し、
前記少なくとも１個の固定ユニットは、空心柱体を呈し、前記各固定ユニットは、前記第一バレルの内部に設置され、しかも前記各固定ユニットは、それぞれ高さを有し、
前記基板は、前記電池と電気的に連接し、少なくとも１個の固定孔を有し、前記各固定孔の内径は、前記各固定ユニットの外径より大きく、しかも前記基板の厚さは、前記各固定ユニットの高さより小さく、前記基板の固定孔は、前記各固定ユニット上に対応して嵌接され、ネジを利用して、前記各固定ユニットの内壁に通して設置し、これにより、前記基板は、前記第一バレルの内部に固定され、しかも前記基板には少なくとも２個のターミナルクランプをさらに設置し、
前記第二バレルは、前記第一バレルに対応して組み立てられ、モーター、回路基板、バレル管、気圧シリンダーピストンセット、クイック交換バネ構造、弾丸押し出し構造、弾丸選択発射システムを有し、
前記モーターは、前記第二バレルの内部に設置され、
前記回路基板は、前記モーターと電気的に連接し、少なくとも２個の端子を有し、前記各端子は、前記第二バレル上に設置され、前記第二バレルが、前記第一バレルに対応して組み立てられると、前記各端子は、前記基板のターミナルクランプに挟持され、前記回路基板と前記基板とは電気的に連接し、
前記バレル管は、前記第二バレルの内部に設置され、弾丸押し出しは、弾丸を押し、
前記気圧シリンダーピストンセットは、前記バレル管と角度を有し、
前記クイック交換バネ構造は、連接部材を通して前記第二バレルの底部と相互に連接し、
前記弾丸押し出し構造は、弾丸押し出しノズルを有し、前記弾丸押し出しノズルは、弾丸を押し、前記弾丸押し出しノズルは伝動キットに連接し、しかもギアセットにより、前記伝動キット及び前記気圧シリンダーピストンセットを同時に連動し、
前記弾丸選択発射システムは、前記第二バレル内部に設置され、前記弾丸選択発射システムは、引き金スイッチにより前記電池と連接し、しかも前記引き金スイッチは、接触作動状態或いは切断停止状態に位置することを特徴とする組合せ式電動トイガン。
【請求項２】
前記各固定ユニットは、空心柱体を呈し、その柱体内壁には、内ネジヤマを設置することを特徴とする請求項１に記載の組合せ式電動トイガン。
【請求項３】
前記第一バレルと前記各固定ユニットは、一体成形であることを特徴とする請求項１に記載の組合せ式電動トイガン。
【請求項４】
前記各固定ユニットは、ベース上に位置し、
前記ベースと前記第一バレルとは、相互に連接することを特徴とする請求項１に記載の組合せ式電動トイガン。
【請求項５】
前記気圧シリンダーピストンセットは、バネ台及びバネガイドロッドを有し、
前記バネガイドロッドと前記バネ台とは、相互に連接し、バネを搭載し、
前記気圧シリンダーピストンセットと前記バレル管とは、角度を有し、これにより、前記バネ台は、連接部材を通して前記組合せ式電動トイガンの底部と相互に連接することを特徴とする請求項１に記載の組合せ式電動トイガン。
【請求項６】
前記バネガイドロッドは、円柱状構造であることを特徴とする請求項５に記載の組合せ式電動トイガン。
【請求項７】
前記前記ギアセットが作動すると、前記伝動キットにより、作動力を前記弾丸押し出しノズルに伝達し、前記弾丸押し出しノズルの移動により前記弾丸を前記バレル管中へと押し出し、これにより前記気圧シリンダーピストンセットは内部気体を圧迫し、前記弾丸を発射することを特徴とする請求項１に記載の組合せ式電動トイガン。
【請求項８】
前記伝動キットは、プルバー、連動部を有し、
前記プルバーと前記ギアセットとは、相互に連接し、
前記連動部の端は、連棒を通して、前記プルバーと相互に連接し、その反対端は、前記弾丸押し出しノズルと相互に連接し、前記弾丸押し出しノズルの移動を連動することを特徴とする請求項１に記載の組合せ式電動トイガン。
【請求項９】
前記組合せ式電動トイガンは、復位バネをさらに有し、
前記復位バネと前記プルバーとは、相互に連接し、弾力により、前記伝動キットの移動を連動することを特徴とする請求項８に記載の組合せ式電動トイガン。
【請求項１０】
前記組合せ式電動トイガンは、電動モーターをさらに有し、
前記電動モーターと前記ギアセットとは電気通信連接し、これにより前記ギアセットは、前記伝動キット及び前記気圧シリンダーピストンセットの作動を連動することを特徴とする請求項１に記載の組合せ式電動トイガン。
【請求項１１】
前記気圧シリンダーピストンセットは、気圧シリンダー、ピストン、バネ、バネガイドロッド、バネ台を有し、
前記ピストンは、前記気圧シリンダー内部に設置され、
前記バネは、前記ピストンと相互につっぱり、
前記バネガイドロッドは、前記バネを搭載し、
前記バネ台は、前記バネガイドロッドと相互に連接することを特徴とする請求項１に記載の組合せ式電動トイガン。
【請求項１２】
前記バネ台は、連接部材を通して、前記組合せ式電動トイガンの底部と相互に連接し、
前記連接部材は挿入ピン構造であることを特徴とする請求項１１に記載の組合せ式電動トイガン。
【請求項１３】
前記挿入ピン構造末端には、弾性部材を有し、
前記弾性部材は、前記第二バレルを係合することを特徴とする請求項１２に記載の組合せ式電動トイガン。
【請求項１４】
前記弾丸選択発射システムは、電力モジュール、マイクロコントロールユニット、電力スイッチモジュール、モーターギアピストンセットを有し、
前記電力モジュールは、前記引き金スイッチと電気通信連接し、
前記マイクロコントロールユニットは、前記電力モジュールと電気通信連接し、前記マイクロコントロールユニットは、信号を提供し、
前記電力スイッチモジュールは、前記引き金スイッチ、前記電池及び前記マイクロコントロールユニットとそれぞれ電気通信連接し、前記電力スイッチモジュールは、スイッチオン状態或いはスイッチオフ状態に位置し、
前記モーターギアピストンセットは、前記電池及び前記電力スイッチモジュールとそれぞれ電気通信連接し、
前記引き金スイッチが前記接触作動状態にあると、前記電力モジュールは、前記電池が伝送する前記電力を受け取り、しかも前記電力モジュールは前記電力を前記マイクロコントロールユニットの作動電圧に転換し、これにより前記マイクロコントロールユニットは、前記信号を前記電力スイッチモジュールに提供し、前記電力スイッチモジュールは前記スイッチオン状態にあり、前記モーターギアピストンセットを作動させ、しかも前記電池は前記電力を提供して前記モーターギアピストンセットを作動させることを特徴とする請求項１に記載の組合せ式電動トイガン。
【請求項１５】
前記引き金スイッチが前記切断停止状態にあると、前記電力モジュールは前記電池が提供する前記電力を受け取ることができず、前記マイクロコントロールユニットは、前記信号を前記電力スイッチモジュールに提供できず、これにより前記電力スイッチモジュールは前記スイッチオフ状態となり、しかも前記電池は前記電力を前記モーターギアピストンセットに提供できないことを特徴とする請求項１４に記載の組合せ式電動トイガン。
【請求項１６】
前記トイガン弾丸選択発射システムは、弾丸選択ユニットをさらに有し、前記弾丸選択ユニットと前記マイクロコントロールユニットとは電気通信連接し、
前記弾丸選択ユニットは、第一スイッチ、第二スイッチ、カムプレートを有し、
前記第一スイッチの端は、前記マイクロコントロールユニットと連接し、反対端は接地し、
前記第二スイッチの端は、前記マイクロコントロールユニットと連接し、反対端は接地し、
前記カムプレートは、前記第一スイッチ及び前記第二スイッチに隣接し、前記カムプレートは、第一接触位置、第二接触位置或いは第三接触位置に位置でき、前記第一接触位置では前記カムプレートは前記第一スイッチ及び前記第二スイッチとそれぞれ相互に分離し、前記第二接触位置では前記カムプレートと前記第一スイッチとは相互に分離し、しかも前記第二スイッチを圧迫し、前記第三接触位置では前記カムプレートは前記第一スイッチ及び前記第二スイッチをそれぞれ圧迫することを特徴とする請求項１４に記載の組合せ式電動トイガン。
【請求項１７】
前記弾丸選択ユニットは、レバーをさらに有し、
前記レバーと前記カムプレートの軸心とは連接し、前記カムプレートを弾いて回転させ、前記カムプレートを、前記第一接触位置、前記第二接触位置或いは前記第三接触位置上に調整することを特徴とする請求項１６に記載の組合せ式電動トイガン。
【請求項１８】
前記レバーと前記カムプレートは、一体成形であることを特徴とする請求項１７に記載の組合せ式電動トイガン。
【請求項１９】
前記カムプレートが、前記第一接触位置にあると、前記モーターギアピストンセットは単発モードにあり、前記単発モードでは前記モーターギアピストンセットは一度の作動を完成し、
前記カムプレートが前記第二接触位置にあると、前記モーターギアピストンセットは双発モードにあり、前記双発モードでは前記モーターギアピストンセットは二度の作動を完成し、
前記カムプレートが前記第三接触位置にあり、前記モーターギアピストンセットが連発モードにあると、前記連発モードでは前記モーターギアピストンセットは連続作動することを特徴とする請求項１６に記載の組合せ式電動トイガン。
【請求項２０】
前記弾丸選択ユニットは、発射ディテクトスイッチをさらに有し、
前記発射ディテクトスイッチの端は、前記マイクロコントロールユニットと連接し、反対端は接地し、
前記発射ディテクトスイッチは、前記モーターギアピストンセットの作動完成回数を探知することを特徴とする請求項１６に記載の組合せ式電動トイガン。
【発明の詳細な説明】
【技術分野】
【０００１】
本発明は組合せ式電動トイガンに関し、特に定位構造により、迅速かつ有効にモーターエンド端子と電池エンド端子を固定でき、しかも便利に分解できる組合せ式電動トイガン電気信号接続デバイスに関する。
【背景技術】
【０００２】
従来のトイガンの動力源は、おおよそ二種に分けられる。
種は、電力を動力源とするもので、もう種は、ガスを動力源とするものである。
【０００３】
特許文献１に開示する電力駆動の電動トイガンは、メインバレル及びサブバレルを有する。
その電力ユニットは、電動モーター、電池装置及び電線アセンブリを有する。
電動モーターは、メインバレルの内部に設置され、電池装置は、サブバレルの内部に設置され、サブバレルは銃床の作用を構成する。
しかも、電線アセンブリにより電力を接続し、こうして電動モーターは起動される。
電線アセンブリは、第一電線組及び第二電線組を有し、それぞれ正極電線及び負極電線を有する。
第一電線組の端は電動モーターに接続し、第一電線組の反対端は第一端子に接続する。
第二電線組の端は電池装置に接続し、第二電線組の反対端は第二端子に接続する。
しかも、第一端子と第二端子が相互に挿入して組み合わされると、電動モーターと電池装置とは電力連通を形成する。
【０００４】
しかし、上述の電動トイガンは使用において以下の欠点が存在する。
この類の電動トイガンのメインバレルとサブバレルを、工場内で組み立てる際には、組立人員は第一端子と第二端子を相互に挿入して組み合せる操作を先に行い、しかもそれをサブバレル内に収容しなければ、メインバレルとサブバレルとを組み立てることはできない。しかも、メインバレルとサブバレルを組み立て後、通常は分解が難しいが、第一端子と第二端子には切の定位構造設計がないため、相互に挿入して組み合わせた後、固定しないことで、ぐらつきやゆるみの現象が生じる。よって、メインバレルとサブバレルの組み立て作業時には、確実に挿入して組み合わせなければ、メインバレルとサブバレルの組み立て操作を完成できず、そうでなければ導電性能に悪影響が及びぶ。すなわち、組み立て操作が不便で面倒である。しかも、導電性能に問題が生じると、メインバレルとサブバレルとを分解して修理しなければならないため、分解及び組み立てが面倒である。
第一端子と第二端子を挿入して組み合わせる位置は、固定が堅固でないため、ぐらつきやゆるみの現象が起きる。そのため使用時の震動により、組み合せ位置が使用後にしばしば脱落し、電源が切断されることで発射できなくなってしまう。
【０００５】
定位構造を備え、迅速かつ有効にモーターエンド端子と電池エンド端子を固定でき、しかも便利に分解できる組合せ式電動トイガン電気信号接続デバイスを開発することは、設備メーカーや開発人員の共通の目標である。
【先行技術文献】
【特許文献】
【０００６】
【特許文献１】台湾特許第Ｍ３５６１０６号明細書
【発明の概要】
【発明が解決しようとする課題】
【０００７】
前記先行技術には、モーターエンド端子と電池エンド端子の分解及び組み立てが困難であるという欠点がある。
【課題を解決するための手段】
【０００８】
本発明は定位構造を備え、迅速かつ有効にモーターエンド端子と電池エンド端子を固定でき、しかも便利に分解できる組合せ式電動トイガン電気信号接続デバイスに関する。
【０００９】
本発明による組合せ式電動トイガン電気信号接続デバイスは、第一バレル及び第二バレルを有する。
該第一バレルは、電池、少なくとも１個の固定ユニット及び基板を有する。
該電池は、該第一バレルの内部に設置され、電力を提供する。
該各固定ユニットは、空心柱体を呈し、該各固定ユニットは、該第一バレルの内部に設置され、しかも該各固定ユニットは、それぞれ高さを有する。
該基板は、該電池と電気的に連接し、少なくとも１個の固定孔を有する。
該各固定孔の内径は、該各固定ユニットの外径より大きく、しかも該基板の厚さは、該各固定ユニットの高さより小さい。
該基板の固定孔は、該各固定ユニット上に対応して嵌接され、ネジを利用して、該各固定ユニットの内壁に通して設置する。
これにより、該基板は、該第一バレルの内部に固定され、しかも該基板には少なくとも２個のターミナルクランプをさらに設置する。
該第二バレルは、該第一バレルに対応して組み立てられ、該第二バレルは、モーター及び回路基板を有する。
該モーターは、該第二バレルの内部に設置される。
該回路基板は、該モーターと電気的に連接し、少なくとも２個の端子を有する。
該各端子は、該第二バレル上に設置される。
該第二バレルが、該第一バレルに対応して組み立てられると、該各端子は、該基板のターミナルクランプに挟持され、該回路基板と該基板とは電気的に連接する。
【００１０】
本発明は定位構造により、迅速かつ有効にモーターエンド端子と電池エンド端子とを固定でき、しかも使用者が分解するにも便利である。
【図面の簡単な説明】
【００１１】
【図１】本発明の組合せ式電動トイガン電気信号接続デバイスの組み立て模式図である。
【図２Ａ】本発明の組合せ式電動トイガン電気信号接続デバイスの分解模式図である。
【図２Ｂ】本発明の基板の拡大模式図である。
【図２Ｃ】本発明の回路基板の拡大模式図である。
【図２Ｄ】本発明の固定ユニットの模式図である。
【図３Ａ】本発明によるクイック交換バネ構造実施形態の交換バネ構造の模式図である。
【図３Ｂ】本発明によるクイック交換バネ構造実施形態の構造透視模式図である。
【図３Ｃ】本発明によるクイック交換バネ構造実施形態の構造透視模式図二である。
【図３Ｄ】本発明弾丸押し出し構造実施形態の構造透視模式図である。
【図３Ｅ】本発明弾丸押し出し構造実施形態の別の視角の局部構造拡大透視模式図である。
【図３Ｆ】本発明弾丸押し出し構造実施形態による弾丸送りの側面透視構造動作模式図である。
【図３Ｇ】本発明弾丸押し出し構造実施形態による弾丸押し出しの側面透視構造動作模式図である。
【図４Ａ】本発明の弾丸選択発射システムの回路図である。
【図４Ｂ】本発明の弾丸選択発射システムのシステム構造図である。
【図４Ｃ】本発明の弾丸選択発射システムが単発モードの時の模式図である。
【図４Ｄ】本発明の弾丸選択発射システムが双発モードの時の模式図である。
【図４Ｅ】本発明の弾丸選択発射システムが連発モードの時の模式図である。
【発明を実施するための形態】
【００１２】
（実施形態）
図１に示す通り、本発明の組合せ式電動トイガン１は、第一バレル１０及び第二バレル１００を有する。
【００１３】
図２Ａ、図２Ｂ及び図２Ｄに示す通り、第一バレル１０は、電池１１７、少なくとも１個の固定ユニット１０１及び基板１０２を有する。
電池１１７は、第一バレル１０の内部に設置され、電力を提供する。
各固定ユニット１０１は、空心柱体を呈し、各固定ユニット１０１は、第一バレル１０の内部に設置され、しかも各固定ユニット１０１は、それぞれ高さを有する。
【００１４】
基板１０２は、電池１１７と電気的に連接し、少なくとも１個の固定孔１０２０を有する。
各固定孔１０２０の内径は、各固定ユニット１０１の外径より大きく、しかも基板１０２の厚さは、各固定ユニット１０１の高さより小さい。
基板１０２の固定孔１０２０は、各固定ユニット１０１上に対応して嵌接され、ネジ１０２１を利用して、各固定ユニット１０１の内壁に通して設置する。
これにより、基板１０２は、第一バレル１０の内部に固定され、しかも基板１０２には少なくとも２個のターミナルクランプ１０２２をさらに設置する。
各固定孔１０２０は、円孔或いは半円孔である。
【００１５】
各固定孔１０２０の内径は、各固定ユニット１０１の外径より大きく、しかも基板１０２の厚さは、各固定ユニット１０１の高さより小さいため、ネジ１０２１を利用して各固定ユニット１０１の内壁に通して設置し、基板１０２が第一バレル１０の内部に設置された後、基板１０２は、水平面及び垂直面の弾性空間を保持する。
水平面及び垂直面の弾性空間により、本発明のモーターエンド端子と電池エンド端子の位置を合わせて連接する時には、固定がより容易となり、しかも端子上の導電材料の磨損を減らすことができるため、組み立てと分解を何度も行っても、高い導電特性を保持することができる。
【００１６】
図１、図２Ｂ、図２Ｃ及び図２Ｄに示す通り、第二バレル１００は、第一バレル１０に対応して組み立てられ、第二バレル１００は、モーター１５及び回路基板１１１ａを有する。
モーター１５は、第二バレル１００の内部に設置される。
回路基板１１１ａは、モーター１５と電気的に連接し、少なくとも２個の端子１１１０を有する。
各端子１１１０は、第二バレル１００上に設置される。
第二バレル１００が第一バレル１０に対応して組み立てられると、各端子１１１０は、基板１０２のターミナルクランプ１０２２に挟持され、回路基板１１１ａと基板１０２とは電気的に連接する。
【００１７】
本発明の好ましい実施形態では、各固定ユニット１０１は、空心柱体を呈し、その柱体内壁には、内ネジヤマを設置する。
各固定ユニットの内ネジヤマは、ネジ１０２１の外ネジヤマに対応する。
【００１８】
本発明の別種の好ましい実施形態中では、各ターミナルクランプ１０２２は、逆Ω型構造を呈する。
各ターミナルクランプ１０２２の逆Ω型構造により、各端子１１１０を有効に定位でき、モーターエンド端子と電池エンド端子とをさらに容易に固定でき、しかも使用者によるモーターエンド端子と電池エンド端子との分解に便利である。
【００１９】
本発明の別種の好ましい実施形態中では、各固定ユニット１０１は、ベース１０１ａ上に位置する。
ベース１０１ａと第一バレル１０とは、相互に連接するが、本発明はこれに限定されるわけではない。
本発明のさらに別種の好ましい実施形態中では、第一バレル１０と各固定ユニット１０１は、一体成形である。
【００２０】
本発明のさらに別種の好ましい実施形態中では、電池１１７は、リチウム電池、ニッケル水素電池或いはアルカリマンガン電池である。
【００２１】
本発明の別種の好ましい実施形態中では、各固定ユニット１０１、各固定孔１０２０及び各ネジ１０２１の数量は、それぞれ３個であるが、本発明はこれに限定されない。
本発明の他の実施形態中では、各固定ユニット１０１、各固定孔１０２０及び各ネジ１０２１の数量は、他の数量とできる。
【００２２】
上述の組合せ式電動トイガン電気信号接続デバイスを通して、本発明は定位構造により迅速かつ有効にモーターエンド端子と電池エンド端子を固定できるばかりか、使用者による分解も便利となる。
しかも、基板は水平面及び垂直面の弾性空間により、本発明のモーターエンド端子と電池エンド端子の位置を合わせて連接する時には、固定がより容易となり、しかも端子上の導電材料の磨損を減らすことができるため、組み立てと分解を何度も行っても、高い導電特性を保持することができる。
【００２３】
同時に図３Ａ、図３Ｂ及び図３Ｃに示す通り、本発明によるクイック交換バネ構造は、第二バレル１００内に設置される。
第二バレル１００は、ギアセット１４、気圧シリンダーピストンセット１１、電動モーター１５及びバレル管１２を有する。
電動モーター１５とギアセット１４とは、相互に連接する。
ギアセット１４と気圧シリンダーピストンセット１１外壁のラックギア１１８とは、相互に連接し、電動モーター１５を通して、気圧シリンダーピストンセット１１の作動を連動する。
気圧シリンダーピストンセット１１は、気圧シリンダー１１６、バネ台１１１、バネガイドロッド１１２、バネ１１３及びピストン１１７を有する。
バネ台１１１とバネガイドロッド１１２とは、相互に連接する。
バネガイドロッド１１２は、円柱状構造で、バネ１１３を搭載できる。
ピストン１１７は、気圧シリンダー１１６内部に設置され、ラックギア１１８と、相互に連接し、バネ１１３と相互につっぱる。
バレル管１２は、弾丸供給パーツ１２１を有する。
弾丸供給パーツ１２１とトイガン１の弾倉（図示なし）とは、相互に連接し、弾丸を、弾倉からバレル管１２へと装填する。
【００２４】
本発明の気圧シリンダーピストンセット１１とバレル管１２とは、吹弾管（図示なし）を通して相互に連接する。
しかも、気圧シリンダーピストンセット１１とバレル管１２との間には、角度θを有する。
これにより、バネ台１１１は、連接部材１１４ａを通して、組合せ式電動トイガン１の底部と、相互に連接する。
第二バレル１００の底部とバレル管１２とは、おおよそ平行である。
【００２５】
本発明の実施形態中では、連接部材１１４ａは、挿入ピン構造である。
挿入ピン構造末端には、弾性部材１１５を有する。
弾性部材１１５により、組合せ式電動トイガン１の第二バレル１００を係合する。
【００２６】
上述の構造、組成設計に基づき、本発明の使用及び作動状況について以下に説明する。
本発明によるトイガンクイック交換バネ構造の別種の実施形態の構造模式図である図３Ａに示す通り、使用者（図示なし）は、連接部材１１４ａを取り外すだけで、バネ台１１１、バネガイドロッド１１２及びバネ１１３を取り出し、交換することができる。
【００２７】
従来の技術に開示するように、一般の電動トイガンにおいて、弾丸発射力を変える方法は、バネの弾性数変更だが、一般の電動トイガンのバネ構造は取り外しが容易でない。
本発明のトイガンクイック交換バネ構造は、従来の技術に比べ、以下の長所を備える。
本発明によるクイック交換バネ構造では、トイガン内部のバネを迅速に交換できる。
本発明によるクイック交換バネ構造は、在庫過多のリスクを効果的に解決できる。
本発明によるクイック交換バネ構造の挿入ピン構造末端には、弾性部材を有するため、トイガンのガン本体と堅固に係合できる。
【００２８】
図３Ｄ〜図３Ｇに示す通り、本発明による弾丸押し出し構造は、少なくとも伝動キット１３を有する。
ギアセット１４は、扇形ギア１４１及び凸出部１４２を有し、扇形ギア１４１とラックギア  １１８とは、相互に連接する。
気圧シリンダーピストンセット１１は、気圧シリンダー１１６、バネ台１１１、バネガイドロッド１１２、バネ１１３及びピストン１１７を有する。
バネ台１１１とバネガイドロッド１１２とは、相互に連接する。
バネガイドロッド１１２は、円柱状構造で、バネ１１３を搭載できる。
バネ台１１１は、連接部材１１４ａを通して、トイガン１の底部と、相互に連接する。
本発明の好ましい実施形態中では、連接部材１１４ａは、挿入ピン構造である。
【００２９】
ピストン１１７は、気圧シリンダー１１６内部に設置され、しかもラックギア１１８と相互に連接し、バネ１１３と相互につっぱる。
バレル管１２は、弾丸押し出しノズル１１９及び弾丸供給パーツ１２１を有する。
弾丸押し出しノズル１１９は、弾丸１６を押す。
弾丸供給パーツ１２１と組合せ式電動トイガン１の弾倉（図示なし）とは、相互に連接し、弾丸１６を、弾倉からバレル管１２に装填する。
【００３０】
気圧シリンダーピストンセット１１とバレル管１２との間には、角度θを有する。
弾丸押し出しノズル１１９は、伝動キット１３に連接し、しかもギアセット１４により、伝動キット１３及び気圧シリンダーピストンセット１１を同時に連動する。
ギアセット１４が作動すると、伝動キット１３により、作動力を弾丸押し出しノズル１１９に伝達し、弾丸１６を押す。
同時に、気圧シリンダーピストンセット１１により、内部気体を圧迫し、弾丸を発射する。
【００３１】
本発明の好ましい実施形態中では、伝動キット１３は、プルバー１３１及び連動部１３２を有する。
ギアセット１４は、プルバー１３１を作動させ、連動部１３２の端は、連棒１３３を通して、プルバー１３１と相互に連接し、その反対端は、弾丸押し出しノズル１１９と、相互に連接する。
これにより、弾丸押し出しノズル１１９は弾丸１６を押し、バレル管１２端部へと押し出し、同時に気圧シリンダーピストンセット１１により、内部気体を圧迫し、弾丸をバレル管に沿って吹き出す。
【００３２】
上述の構造、組成設計に基づき、本発明の使用及び作動状況について以下にさらに説明する。
電動モーター１５が、ギアセット１４の回転を連動すると、扇形ギア１４１とラックギア１１８とは、相互に連接し、ピストン１１７を連動し、気圧シリンダーピストンセット１１後端軸方向へと移動させ、ピストン１１７と気圧シリンダー１１６の間の空間は大きくなり、外界の空気を吸入する。
同時に、ギアセット１４も凸出部１４２を通して、プルバー１３１を連動し、気圧シリンダーピストンセット１１後端軸方向へと移動させる。
伝動キット１３と弾丸押し出しノズル１１９とは、相互に連接するため、弾丸押し出しノズル１１９も凸出部１４２の作動を受け、バレル管１２内で後方へと移動する。
これにより、弾丸１６を収容できる空間が生まれ、この時、弾丸供給パーツ１２１の導引により、弾丸１６は上昇し、弾倉からバレル管１２中へと装填される。
【００３３】
好ましくは、第二バレル１００は、復位バネ１０１ｂをさらに有する。
復位バネ１０１ｂは、第二バレル１００及びプルバー１３１とそれぞれ相互に連接する。
凸出部１４２とプルバー１３１とが分離すると、復位バネ１０１bは、弾力により、プルバー１３１を連動し、弾丸押し出しノズル１１９は、弾丸１６をバレル管１２に装填する。
さらに、扇形ギア１４１は無歯位置にあり、ラックギア１１８と相互に連接することで、扇形ギア１４１はラックギア１１８との間の伝動を離脱する。
これにより、ピストン１１７は、扇形ギア１４１の噛み合い連動を離脱し、バネ１１３の弾力により、ピストン１１７を気圧シリンダーピストンセット１１前端へと移動させ、ピストン  １１７と気圧シリンダー１１６との間の空気を圧迫する。
これにより、空気は、気圧シリンダー１１６内から、吹弾管（図示なし）に沿って弾丸押し出しノズル１１９へと送られる。
弾丸押し出しノズル１１９の開口（図示なし）と吹弾管とは相互に導通し、こうして弾丸押し出しノズル１１９付近に位置する弾丸１６はバレル管１２に沿って吹き出される。
本発明の弾丸押し出し構造は、従来の技術とは異なり、気圧シリンダーピストンセット及びバレル管が異なる軸方向上にある電動トイガンに適用でき、トイガンの弾丸押し出し構造は、気圧シリンダーピストンセット作用時のエネルギーの流失の、弾丸の発射速度への影響を回避できる。
【００３４】
本発明のトイガン弾丸選択発射システムの回路図及びシステム構造図である図４Ａ及び図４Ｂに示す通り、本発明のトイガン弾丸選択発射システム１は、電池１１７ａ、引き金スイッチ１１８ａ、電力モジュール１１９ａ、マイクロコントロールユニット１１５ａ、電力スイッチモジュール１１３ａ、弾丸選択ユニット１１２ａ及びモーターギアピストンセット１１４を有する。
モーターギアピストンセット１１４は、伝動キット１３、ギアセット１４、気圧シリンダーピストンセット１１及び電動モーター１５ａにより組成されるが、以下の説明の便のため、モーターギアピストンセット１１４についてのみ記述する。
【００３５】
電池１１７ａは電力を提供する。
電力の作動電圧は約１２ボルトで、しかも電力の作動電流は約１０−３０アンペアである。
引き金スイッチ１１８ａと電池１１７ａとは連接し、引き金スイッチ１１８ａは、接触作動状態或いは切断停止状態に位置する。
電力モジュール１１９ａと引き金スイッチ１１８ａとは、電気通信連接する。
マイクロコントロールユニット１１５ａと電力モジュール１１９ａとは、電気通信連接し、マイクロコントロールユニット１１５ａは、信号を提供する。
弾丸選択ユニット１１２ａとマイクロコントロールユニット１１５ａとは、電気通信連接する。
電力スイッチモジュール１１３ａは、引き金スイッチ１１８ａ、電池１１７ａ及びマイクロコントロールユニット１１５ａとそれぞれ電気通信連接する。
電力スイッチモジュール１１３ａは１組のＭＯＳＦＥＴ（ｍｅｔａｌ−ｏｘｉｄｅ−ｓｅｍｉｃｏｎｄｕｃｔｏｒ  ｆｉｅｌｄ−ｅｆｆｅｃｔ  ｔｒａｎｓｉｓｔｏｒ）で、電力スイッチモジュール１１３ａは、スイッチオン状態或いはスイッチオフ状態に位置する。
モーターギアピストンセット１１４は、電池１１７ａ及び電力スイッチモジュール１１３ａとそれぞれ電気通信連接する。
【００３６】
本発明による好ましい実施形態中では、引き金スイッチ１１８ａが、接触作動状態、即ち射撃状態にあると、電池１１７ａと電力モジュール１１９ａとは電気通信導通状態にある。
そのため、電力モジュール１１９ａは、電池１１７ａ伝送する電力を受け取り、しかも電池１１７ａが提供する電力の作動電圧は１２ボルトで、さらに電力モジュール１１９ａにより、電力をマイクロコントロールユニット１１５ａの作動電圧に転換し、マイクロコントロールユニット１１５ａの作動電圧は５ボルトである。
マイクロコントロールユニット１１５ａは、信号を電力スイッチモジュール１１３ａに提供し、電力スイッチモジュール１１３ａはスイッチオン状態にあり、電池１１７ａにより電力を提供しモーターギアピストンセット１１４を作動させる。
電力の作動電圧は約１２ボルトで、モーターギアピストンセット１１４の作動電流は約１０−３０アンペアであるため、モーターギアピストンセット１１４は、電池１１７ａが提供する電力の作動電流を直接使用する。
当然、電力スイッチモジュール１１３ａはさらに、整流ユニット（図示なし）に対応し、モーターギアピストンセット１１４の作動電流を調整することができる。
【００３７】
引き金スイッチ１１８ａが切断停止状態、即ち未射撃状態にあると、電力モジュール１１９ａは、電池１１７ａが提供する電力を受け取ることはできない。
そのため、マイクロコントロールユニット１１５ａは、信号を電力スイッチモジュール１１３ａに提供できず、これにより電力スイッチモジュール１１３ａはスイッチオフ状態となる。
しかも、電池１１７ａは、電力をモーターギアピストンセット１１４に提供できない。
よって、本発明のトイガン弾丸選択発射システム１は、引き金スイッチ１１８ａが切断停止状態、即ち未射撃状態にあると、マイクロコントロールユニット１１５ａは作動せず、よってトイガンの電力を効果的に節約できる。
【００３８】
本発明の弾丸選択発射システムが単発モード、双発モード及び連発モードにある時の模式図である図４Ｃ〜図４Ｅに示す通り、本発明による弾丸選択ユニット１１２ａは、第一スイッチ１１２１、第二スイッチ１１２２、カムプレート１１２４及びレバー１１６ｃを有する。
第一スイッチ１１２１の端は、マイクロコントロールユニット１１５ａと連接し、反対端は接地する。
第二スイッチ１１２２の端は、マイクロコントロールユニット１１５ａと連接し、反対端は接地する。
カムプレート１１２４は、第一スイッチ１１２１及び第二スイッチ１１２２に隣接し、カムプレート１１２４は、第一接触位置９１、第二接触位置９２或いは第三接触位置９３にある。
第一接触位置９１では、カムプレート１１２４は、第一スイッチ１１２１及び第二スイッチ１１２２とそれぞれ相互に分離し、第二接触位置９２では、カムプレート１１２４と第一スイッチ１１２１とは相互に分離し、しかも第二スイッチ１１２２を圧迫し、第三接触位置９３では、カムプレート１１２４は、第一スイッチ１１２１及び第二スイッチ１１２２をそれぞれ圧迫する。
レバー１１６ｃ、１１６ａ、１１６ｂとカムプレート１１２４の軸心とは連接し、レバー１１６ｃ、１１６ａ、１１６ｂとカムプレート１１２４は、ネジにより固定され、カムプレート１１２４を弾いて回転させ、カムプレート１１２４を、第一接触位置９１、第二接触位置９２或いは第三接触位置９３上で調整する。
【００３９】
図４Ａ及び図４Ｂに示す通り、弾丸選択ユニット１１２ａは、発射ディテクトスイッチ１１２３をさらに有する。
発射ディテクトスイッチ１１２３の端は、マイクロコントロールユニット１１５ａと連接し、反対端は接地する。
発射ディテクトスイッチ１１２３は、モーターギアピストンセット１１４の作動完成回数を探知する。
【００４０】
本発明の好ましい実施形態中では、カムプレート１１２４が第一接触位置９１にあり、しかも引き金スイッチ１１８aが接触作動状態、即ち射撃状態にあると、マイクロコントロールユニット１１５ａは起動し、同時に第一スイッチ１１２１及び第二スイッチ１１２２の信号を受信し、カムプレート１１２４は、第一スイッチ１１２１及び第二スイッチ１１２２とそれぞれ相互に分離し、マイクロコントロールユニット１１５ａを単発モードに設定し、マイクロコントロールユニット１１５ａは、信号を電力スイッチモジュール１１３ａに提供する。
この時、電力スイッチモジュール１１３ａは、スイッチオン状態にあり、モーターギアピストンセット１１４を作動させる。
モーターギアピストンセット１１４が一度作動を完成すると、発射ディテクトスイッチ１１２３を利用し、その信号をマイクロコントロールユニット１１５ａに伝送する。
この時、マイクロコントロールユニット１１５ａは電力スイッチモジュール１１３ａに伝送する信号を切断し、電力スイッチモジュール１１３ａをスイッチオフ状態とし、これにより単発モードとなり、モーターギアピストンセット１１４は一度のみの作動を完成する。
【００４１】
カムプレート１１２４が第二接触位置９２にあり、しかも引き金スイッチ１１８ａが接触作動状態、即ち射撃状態にあると、マイクロコントロールユニット１１５ａは起動し、第一スイッチ１１２１及び第二スイッチ１１２２の信号を同時に受け取り、カムプレート１１２４と第一スイッチ１１２１とは相互に分離し、しかも第二スイッチ１１２２を圧迫し、マイクロコントロールユニット１１５ａの設定を双発モードとする。
これにより、マイクロコントロールユニット１１５ａは、信号を電力スイッチモジュール１１３ａに提供する。
この時、電力スイッチモジュール１１３ａはスイッチオン状態にあり、モーターギアピストンセット１１４を作動させ、モーターギアピストンセット１１４が二度の作動を完成後、発射ディテクトスイッチ１１２３を利用し二度の信号をマイクロコントロールユニット１１５ａに伝送する。
この時、マイクロコントロールユニット１１５ａは、電力スイッチモジュール１１３ａに伝送する信号を切断し、電力スイッチモジュール１１３ａはスイッチオフ状態となり、双発モードとして、モーターギアピストンセット１１４は二度のみの作動を完成する。
【００４２】
カムプレート１１２４が第三接触位置９３にあり、しかも引き金スイッチ１１８ａが接触作動状態、即ち射撃状態にあると、マイクロコントロールユニット１１５ａは起動し、第一スイッチ１１２１及び第二スイッチ１１２２の信号を同時に受信し、カムプレート１１２４は、第一スイッチ１１２１及び第二スイッチ１１２２をそれぞれ圧迫し、マイクロコントロールユニット１１５ａを連発モードに設定し、マイクロコントロールユニット１１５ａは、信号を電力スイッチモジュール１１３ａに提供する。
この時、マイクロコントロールユニット１１５ａはディテクトスイッチ１１２３が伝送する信号を無視し、信号を電力スイッチモジュール１１３ａに送り続ける。
これにより、引き金スイッチ１１８ａが切断停止状態、即ち未射撃状態に位置し、マイクロコントロールユニット１１５ａの動作を停止するまで、モーターギアピストンセット１１４は作動を持続する。
しかも、これにより電力スイッチモジュール１１３ａはスイッチオフ状態となるため、連発モードとしてモーターギアピストンセット１１４は作動を持続する。
【００４３】
上述したように本発明は、引き金スイッチ１１８ａと電力モジュール１１９ａが電気通信連接後、マイクロコントロールユニット１１５ａにさらに電気通信連接するため、引き金スイッチ１１８ａが切断停止状態、即ち未射撃状態にあると、マイクロコントロールユニット１１５ａは作動せず、よってトイガンの電力を効果的に節約できる。
【００４４】
前述した本発明の実施形態は本発明を限定するものではなく、よって、本発明により保護される範囲は後述される特許請求の範囲を基準とする。
【符号の説明】
【００４５】
１          組合せ式電動トイガン
１０        第一バレル
１００      第二バレル
１０１      固定ユニット
１０１ａ    ベース
１０１ｂ    復位バネ
１０２      基板
１０２０    固定孔
１０２１    ネジ
１０２２    ターミナルクランプ
１１        気圧シリンダーピストンセット
１１１      バネ台
１１１０    端子
１１１ａ    回路基板
１１２      バネガイドロッド
１１２ａ    弾丸選択ユニット
１１２１    第一スイッチ
１１２２    第二スイッチ
１１２４    カムプレート
１１２３    発射ディテクトスイッチ
１１３      バネ
１１３ａ    電力スイッチモジュール
１１４      モーターギアピストンセット
１１４ａ    連接部材
１１５      弾性部材
１１５ａ    マイクロコントロールユニット
１１６      気圧シリンダー
１１６ｃ、１１６ａ、１１６ｂ  レバー
１１７ａ    電池
１１７      ピストン
１１８      ラックギア
１１８ａ    引き金スイッチ
１１９      弾丸押し出しノズル
１１９ａ    電力モジュール
１２        バレル管
１２１      弾丸供給パーツ
１３        伝動キット
１３１      プルバー
１３２      連動部
１４        ギアセット
１４１      扇形ギア
１４２      凸出部
１５        モーター
１５ａ      電動モーター
１６        弾丸
９１        第一接触位置
９２        第二接触位置
９３        第三接触位置
θ           角度
【図１】
0006323735.tif 000002
【図２Ａ】
0006323735.tif 000003
【図２Ｂ】
0006323735.tif 000004
【図２Ｃ】
0006323735.tif 000005
【図２Ｄ】
0006323735.tif 000006
【図３Ａ】
0006323735.tif 000007
【図３Ｂ】
0006323735.tif 000008
【図３Ｃ】
0006323735.tif 000009
【図３Ｄ】
0006323735.tif 000010
【図３Ｅ】
0006323735.tif 000011
【図３Ｆ】
0006323735.tif 000012
【図３Ｇ】
0006323735.tif 000013
【図４Ａ】
0006323735.tif 000014
【図４Ｂ】
0006323735.tif 000015
【図４Ｃ】
0006323735.tif 000016
【図４Ｄ】
0006323735.tif 000017
【図４Ｅ】
0006323735.tif 000018